(57)【特許請求の範囲】
【請求項１】
器具本体と、該器具本体内にあり水を貯水する貯水室と、該貯水室内の水から加湿空気を発生させる加湿空気発生手段と、該加湿空気発生手段で発生した加湿空気を室内に供給する送風ファンと、前記貯水室に接続され前記貯水室内の水を排水するための排水管と、該排水管の途中に設置され弁を開閉することで管内にある排水の流動有無を切り替える排水弁と、前記器具本体内に設置され前記排水管から流入する排水を溜める排水タンクと、該排水タンク内に設置され水位を検知するための水位検知手段と、該水位検知手段に設置された磁石と、該磁石と対向する位置に設置され磁力の有無によりＯＮ／ＯＦＦ信号を切り替えて出力する近接センサと、該近接センサから出力されたＯＮ／ＯＦＦ信号に基づいて前記排水弁の開閉を切り替える制御部とを備え、
前記水位検知手段は、前記排水タンクの上部に形成された開口に吊着した連結アームと、該連結アームに略中央で軸支され前記排水タンクの水位に応じて一端に嵌め込まれたフロートにより回動するフロートアームと、該フロートアームの他端と連結し前記フロートアームの回動に応じて鉛直上下方向に動作する磁石アームとで構成され、前記磁石アームの上端近傍に前記磁石が設置されたことを特徴とする加湿装置。
【請求項２】
前記水位検知手段は、前記連結アームと前記フロートアームの接触面及び／または前記フロートアームと前記磁石アームの接触面にリブ形状の摺動部を形成したことを特徴とする請求項１記載の加湿装置。
【発明の詳細な説明】
【技術分野】
【０００１】
この発明は、貯水室で発生した加湿空気を室内へ送風する加湿装置において排水タンクの水位を検知する構造に関するものである。
【背景技術】
【０００２】
従来、図１１で示すように、器具本体の所定位置に設置された排水タンク１０１内に支軸１０２を支点として一端にフロート１０３、他端に磁石１０４を備えた回動自在の水位検知手段１０５を設置し、磁石１０４と対向する位置に磁力を検知したらＯＮ信号を出力する近接センサ１０６を備え、排水タンク１０１内の水位が上昇して水位検知手段１０５のフロート１０３側が上昇し、磁石１０４側が下降するように回動することで、磁石１０４と近接センサ１０６との間の距離が徐々に大きくなり、近接センサ１０６が磁力を検知できなくなったらＯＦＦ信号を出力することで運転を自動的に停止させ、排水タンク内への排水の流入を停止させることで、排水タンク１０１からの水漏れを防止するものがあった。（例えば、特許文献１）
【先行技術文献】
【特許文献】
【０００３】
【特許文献１】特開２００１−２６３７２３号公報
【発明の概要】
【発明が解決しようとする課題】
【０００４】
しかし、この従来のものでは、排水タンク内の水位が上昇すると水位検知手段の磁石側が斜め下方に向かって下降することから、水平方向へのストローク距離を考慮して排水タンク内に水位検知手段を設置する必要があったため、排水タンクの側壁近傍に水位検知手段を設置することができず、水位検知手段の設置位置の選択範囲が狭められていた。
【０００５】
また、排水タンク内の排水が飛散する等して水位検知手段の各所に排水が滞留したままの状態で運転終了後に水分が乾燥した時、水中に含有しているカルキ成分が水位検知手段の摺動箇所に析出することで、排水タンク内の水位が上昇した時における水位検知手段の回動がスムーズに行われず、水位検知が正確に行われず排水タンク内から排水があふれ出す虞があったため、改善の余地があった。
【課題を解決するための手段】
【０００６】
上記課題を解決するために、本発明の請求項１では、器具本体と、該器具本体内にあり水を貯水する貯水室と、該貯水室内の水から加湿空気を発生させる加湿空気発生手段と、該加湿空気発生手段で発生した加湿空気を室内に供給する送風ファンと、前記貯水室に接続され前記貯水室内の水を排水するための排水管と、該排水管の途中に設置され弁を開閉することで管内にある排水の流動有無を切り替える排水弁と、前記器具本体内に設置され前記排水管から流入する排水を溜める排水タンクと、該排水タンク内に設置され水位を検知するための水位検知手段と、該水位検知手段に設置された磁石と、該磁石と対向する位置に設置され磁力の有無によりＯＮ／ＯＦＦ信号を切り替えて出力する近接センサと、該近接センサから出力されたＯＮ／ＯＦＦ信号に基づいて前記排水弁の開閉を切り替える制御部とを備え、
前記水位検知手段は、前記排水タンクの上部に形成された開口に吊着した連結アームと、該連結アームに略中央で軸支され前記排水タンクの水位に応じて一端に嵌め込まれたフロートにより回動するフロートアームと、該フロートアームの他端と連結し前記フロートアームの回動に応じて鉛直上下方向に動作する磁石アームとで構成され、前記磁石アームの上端近傍に前記磁石が設置されたことを特徴とする。
【０００７】
また、請求項２では、前記水位検知手段は、前記連結アームと前記フロートアームの接触面及び／または前記フロートアームと前記磁石アームの接触面にリブ形状の摺動部を形成したことを特徴とする。
【発明の効果】
【０００８】
この発明によれば、水位検知手段は、排水タンクの上部に形成された開口に吊着した連結アームと、該連結アームに略中央で軸支され排水タンクの水位に応じて一端に嵌め込まれたフロートにより回動するフロートアームと、該フロートアームの他端と連結しフロートアームの回動に応じて鉛直上下方向に動作する磁石アームとで構成され、磁石アームの上端近傍に磁石が設置されたので、排水タンク内の水位変動に応じた水位検知手段の動作方向が鉛直上下方向であることから、水平方向へのストローク距離を考慮せずとも排水タンク内に設置可能なため、水位検知手段の設置位置の選択範囲を広げることができる。
【０００９】
また、水位検知手段は、連結アームとフロートアームの接触面及び／またはフロートアームと磁石アームの接触面にリブ形状の摺動部を形成したので、水位検知手段に排水が飛散しても各アームの接触面での滞留を防止することができるため、水道水内に含まれるカルキが各アーム間の接触面に固着して動作不良となることを抑制し、排水タンクから排水があふれ出すこを防止できる。
【図面の簡単な説明】
【００１０】
【図１】この発明の一実施形態の外観を説明する斜視図
【図２】同実施形態の概略構成図
【図３】同実施形態の水位検知手段の構造を説明する正面図
【図４】同実施形態の水位検知手段の構造を説明する平面視断面図
【図５】同実施形態の水位検知手段の構造を説明する要部拡大断面図
【図６】同実施形態の制御ブロック図
【図７】同実施形態の操作部を説明する図
【図８】同実施形態の運転制御を説明するフローチャート
【図９】同実施形態の排水タンク内の水位が低い状態を説明する図
【図１０】同実施形態の排水タンク内が満水の状態を説明する図
【図１１】この発明の従来例の排水タンクを説明する図
【発明を実施するための形態】
【００１１】
次に、この発明の一実施形態における加湿装置を図に基づいて説明する。
１は器具本体、２は器具本体１上部に形成されルーバー３が設置された送風口、４は複数のスイッチが備えられ各種操作指令を行う操作部、５は器具本体１正面中央部に形成され器具本体１内に空気を取り込む吸い込み口、６は器具本体１下部に設置され取っ手を引くことで内部に設置された排水タンク７の取り出しを可能とする排水タンク収納扉、８は該排水タンク収納扉６の横にあり内部に設置された給水タンク９の給水口を収納する給水口扉、１０は該給水口扉８の下部に形成され給水タンク９内に残存する水量を目視可能な水位窓、１１は器具本体１底部に設置され器具本体１の移動を可能とするタイヤ部である。
【００１２】
１２は器具本体１内に設置され所定量の水を貯水する貯水室であり、この貯水室１２内には水に下端を水没させ駆動軸に軸支された筒状の回転体１３が備えられている。
【００１３】
前記回転体１３は、中空逆円錐形で上方に向かって径が徐々に拡大するものであり、駆動軸に接続され回転体１３を回転駆動させるミストモータ１４を駆動させ、回転体１３が回転することによる回転の遠心力で貯水室１２内の水を汲み上げ、回転体１３の外壁および内壁を伝わせて水を押し上げて、回転体１３の外壁を伝わせて押し上げた水を周囲に飛散させると共に、回転体１３の内壁を伝わせて押し上げた水を回転体１３の上端に形成された複数の図示しない飛散口から周囲に飛散させる。
【００１４】
１５は回転体１３の上部外周に所定間隔を離間させて位置し、回転体１３と共に回転する円筒状の多孔体で、該多孔体１５には、その全周壁に多数のスリットや金網やパンチングメタル等から成る多孔部１６が設置されており、前記回転体１３、ミストモータ１４、多孔体１５、多孔部１６で加湿空気発生手段が構成されている。
【００１５】
また、前記回転体１３の回転による遠心力で貯水室１２内の水を汲み上げると共に空気を飛散させ、多孔部１６を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１６】
１７は所定の回転数で駆動することで空気を流動させる送風ファンであり、器具本体１の正面に形成された吸い込み口５から吸い込んだ室内空気を吹き出して、貯水室１２と送風通路１８とを通過させて送風口２から送風することで、貯水室１２内で発生したナノミストとマイナスイオンとを含んだ加湿空気を室内へ供給する。
【００１７】
１８は貯水室１２内に設置され貯水を加熱する加熱ヒータであり、貯水室１２の外壁に設置され貯水温度を検知する貯水温度センサ１９で検知される温度が所定温度となるよう、ＯＮ／ＯＦＦ状態を適宜切り替える。
【００１８】
２０は貯水室１２内に設置されフロートの上下により水位を検知する水位センサであり、貯水室１２内の水位が低下して所定水位以下になったらＯＦＦ信号を出力し、水位が上昇して所定水位以上になったらＯＮ信号を出力し、更に水位が上昇して貯水室１２内が満水となったら満水信号を出力する。
【００１９】
２１は一端が貯水室１２に接続し他端が給水タンク９の底部に所定のクリアランスを設けて設置された給水管であり、該給水管２１の配管途中には、給水タンク９内の水を貯水室１２内まで流動させる給水ポンプ２２と、給水管２１内を流動する水の流量を検知する流量センサ２３とが設置されている。
【００２０】
２４は一端が貯水室１２の底部に接続し他端が排水タンク７の排水流入口２５上部に設置された排水管であり、該排水管２４の配管途中には、電磁弁を開閉して貯水室１２内の水の排水を制御する排水弁２６が備えれている。
【００２１】
２７は送風口２の壁面に設置され室内へ向けて送風される加湿空気の温度を検知する送風温度センサ、２８は送風ファン１７の近傍に設置され吸い込み口５から吸い込まれた室内空気の温度を検知する吸気温度センサ、２９は前記吸気温度センサ２８の近傍に設置され器具本体１が設置された室内の湿度を検知する湿度センサであり、各センサで検知された温度や湿度に基づいてミストモータ１４や送風ファン１７の回転数を変化させ、加熱ヒータ１８のＯＮ／ＯＦＦ状態を切り替える。
【００２２】
３０は送風通路１８内に設置されたフィルターであり、貯水室１２内で発生したナノミストとマイナスイオンとを含む加湿空気中の大粒の水滴を補水し、送風口２まで到達させないようにすることで、送風口２付近や器具本体１の設置面が濡れることを防止する。
【００２３】
３１は一端が貯水室１２の壁面に接続され他端が給水タンク９の給水流入口３２上部に設置されたオーバーフロー管であり、万一水位センサ２０が故障して満水検知ができなかった時、給水ポンプ２２が駆動し続けて貯水室１２内への給水が停止せずとも、オーバーフロー管３１を通じて給水タンク９内へ水を戻すことができるため、貯水室１２から水が溢れ出すことを確実に防止することができる。
【００２４】
３３は排水タンク７内に設置され排水タンク７内の水位によって状態が変化する水位検知手段であり、該水位検知手段３３は、フロートアーム３４、磁石アーム３５、及び連結アーム３６で構成されている。
【００２５】
前記フロートアーム３４は、全体が横長状に形成され、一端側に形成され水に浮くフロート３７が嵌め込まれる嵌め込み部３８と、水平方向に対して平行に複数形成された平行長穴３９と、略中央に形成され前記連結アーム３６と回動可能に連結され支点として作用する穴状の第１小孔４０と、該第１小孔４０の周囲を囲う円弧リブ形状の円弧摺動部４１と、横長状に形成された横長穴４２と、他端側に形成され前記磁石アーム３５と回動可能に連結され作用点として作用する穴状の第２小孔４３と、該第２小孔４３の周囲を囲う円リブ形状の円摺動部４４とで構成されている。
【００２６】
また、前記磁石アーム３５は、全体が縦長状に形成され、下端付近に設けられ前記フロートアーム３４の第２小孔４３と回動可能に連結される略円柱状に形成された下部突起４５と、鉛直方向に対して長穴形状に形成され前記連結アーム３６に係合される上部縦長穴４６と、上端に設けられ磁石４７が設置される磁石設置部４８とで構成されており、磁石アーム３５の下端に切り欠きを設けたことで、磁石アーム３５の表面に付着した水滴を磁石アーム３５の下端から排水タンク７へスムーズに滴下させることができる。
【００２７】
また、前記連結アーム３６は、全体が略逆Ｌ字状に形成され、Ｌ字の水平側の端部付近に設けられ前記フロートアーム３４の前記第１小孔４０の周縁に引っかかる爪部４９ａと前記フロートアーム３４を回動可能に連結する支点として作用させる軸部４９ｂとで構成された爪突起４９と、下端付近で鉛直方向に対して長穴形状に形成され前記磁石アーム３５の下部突起４５が貫通することで前記フロートアーム３４と前記磁石アーム３５とが長穴の範囲内で摺動可能となる下部縦長穴５０と、該下部縦長穴５０の両脇に形成された縦長リブ形状の縦長摺動部５１と、Ｌ字の鉛直側の略中間位置に設けられ前記磁石アーム３５を支持するアーム支持部５２と、Ｌ字の鉛直側の上方に形成され前記磁石アーム３５の上部縦長穴４６に嵌り込む上部突起５３と、上端付近に形成され排水タンク７上部に形成された開口５４の周縁に引っかかる鍔部５５とで構成されており、前記鍔部５５が開口５４の周縁に引っかかることで、水位検知手段３３を開口５４に吊着することができる。
【００２８】
ここで、フロートアーム３４、磁石アーム３５及び連結アーム３６の接続箇所と作用について説明すると、第１小孔４０に爪突起４９の軸部４９ｂが挿入されることでフロートアーム３４が連結アーム３６に軸着された状態となり、排水タンク７の水位が高くなってフロート３７が浮力によって上昇すると、第１小孔４０を支点にしてフロートアーム３４の嵌め込み部３８側が上昇することで第２小孔４３側が下降するようにして回動する。また、磁石アーム３５に形成された下部突起４５がフロートアーム３４に形成された第２小孔４３と連結アーム３６に形成された下部縦長穴５０とを貫通していることで、フロートアーム３４の回動に合わせて磁石アーム３５が下部縦長穴５０の範囲内で鉛直上下方向に摺動する。
【００２９】
また、前記フロートアーム３４は第１小孔４０と横長穴４２との間に所定角度で曲げられた折り曲げ部が形成された略への字状であり、かつ前記折り曲げ部よりフロート３７側の方が第２小孔４３側よりも長いことから、排水タンク７内が満水近くになった時、フロートアーム３４のフロート３７の下端の方が連結アーム３６の下端よりも低い状態で磁石アーム３５を鉛直下方向へ十分に低下させ満水検知可能としたので、排水タンク７が満水時であっても連結アーム３６の下端が浸水しないため、フロートアーム３４の回動や磁石アーム３５の鉛直上下方向の動作が水の浮力によって阻害されることがなく、常時スムーズに動作することが可能となる。
【００３０】
また、図４及び図５で示すように、連結アーム３６の爪突起４９の爪部４９ａと対向するフロートアーム３４の円弧摺動部４１が前記爪部４９ａと線接触し、連結アーム３６の爪突起４９の周囲に複数設けられた円柱リブ形状の円柱摺動部５６と対向するフロートアーム３４の第１小孔４０近傍の面が前記円柱摺動部５６と点接触し、磁石アーム３５の下部突起４５の近傍の面と対向する前記フロートアーム３４の円摺動部４４が前記磁石アーム３５の下部突起４５の近傍の面と線接触し、フロートアーム３４の第２小孔４３近傍の面と対向する連結アーム３６の縦長摺動部５１が前記フロートアーム３４の第２小孔４３近傍の面と線接触していることで、各アーム間の摺動部における接触面積が面接触と比較して小さくなっているため、排水弁２６が開放され排水タンク７内に排水が流入する時に排水が水位検知手段３３の方向へ飛散しても、円弧摺動部４１、円摺動部４４、縦長摺動部５１及び円柱摺動部５６の各部と接触する面との間に排水が溜まらずカルキの析出を防止できるため、フロートアーム３４の回動や磁石アーム３５の鉛直上下方向への摺動を常時スムーズに実施することが可能となる。
【００３１】
５７は磁石４７の磁力の有無でＯＮ／ＯＦＦ状態を判定する近接センサであり、排水タンク７内の水が増えるとフロートアーム３４の一端側が徐々に上昇することで磁石アーム３５が徐々に低下し、磁石４７が近接センサ５７から徐々に離れることで近接センサ５７で検知可能な磁力が弱まり、排水タンク７が満水近くになると近接センサ５７が磁力を検知できなくなりＯＦＦ信号を出力して排水弁２６を閉止することで、排水タンク７から水が漏れ出す事態を確実に防止する。
【００３２】
５８はルーバー３の図示しない支軸と接続してルーバー３を所定角度まで回動させるルーバーモータであり、ミスト運転の開始時や停止時にルーバー３を所定の角度まで回動させる。
【００３３】
前記操作部４には、運転開始及び停止を指示する運転スイッチ５９と、ミストモータ１４の回転数を所定値だけ低下させて運転音の低下を図る静音運転を実行するひかえめスイッチ６０と、加湿空気を室内に供給するミスト運転の開始あるいは停止のタイマー運転の実施有無を設定するタイマー入／切スイッチ６１と、現在時刻の設定を行う時計合せスイッチ６２と、加湿空気を室内に供給するミスト運転の開始時刻や停止時刻を設定するタイマー合せスイッチ６３と、室内へ供給する加湿空気量を３段階の加湿レベルから選択する加湿スイッチ６４と、室内へ供給する加湿空気の風量を３段階の風量レベルから選択する風量スイッチ６５と、前記加湿スイッチ６４や前記風量スイッチ６５で設定された加湿レベルや風量レベルを表示する表示部６６と、該表示部６６での表示項目を加湿、風量レベルから湿度、現在時刻等に変化させる表示切り替えスイッチ６７と、スイッチを３秒押しすると排水弁２６を開放して貯水室１２内の水を強制的に排水する排水スイッチ６８と、運転停止以外の操作を禁止するチャイルドロックスイッチ６９とが備えられている。
【００３４】
また、前記操作部４には各スイッチに対応したランプが備えられており、前記運転スイッチ５９が操作されたら点灯する運転ランプ７０と、前記タイマー入／切スイッチ６１が操作されタイマー入り制御かタイマー切り制御かのいずれかで設定されたモードのランプを点灯させるタイマーランプ７１と、前記表示部６６で表示する検知湿度や現在時刻の午前、午後の項目に応じて該当する所定のランプが点灯する表示項目ランプ７２と、前記排水スイッチ６８が操作され排水弁２６が開放されたら点灯する排水ランプ７３と、前記チャイルドロックスイッチ６９が操作されチャイルドロックが設定された時に点灯するチャイルドロックランプ７４とが備えられている。
【００３５】
７５は各センサで検知された検知値や操作部４上に備えられた各スイッチでの設定内容に基づき運転内容や弁の開閉を制御するマイコンで構成された制御部であり、ミストモータ１４を所定の回転数で駆動させるミストモータ制御手段７６と、送風ファン１７を所定の回転数で駆動させる送風ファン制御手段７７と、加熱ヒータ１８のＯＮ／ＯＦＦ状態を変化させて貯水室１２内の水温を制御する加熱ヒータ制御手段７８と、特定の動作開始時から経過した時間をカウントする計時手段７９とが備えられている。
【００３６】
次に、一実施形態での運転開始から終了までの動作について図６のフローチャートに基づいて説明する。
まず、操作部４の運転スイッチ５９が操作されたか、もしくはタイマー入／切スイッチ６１で設定された運転開始時刻になったら、制御部７５は、排水弁２６を開放して貯水室１２内の水を排水し、水位センサ２０でＯＦＦ信号が検知されたら給水ポンプ２２の駆動を開始して給水管２１内にある水を排水して、所定時間経過したら排水弁２６を閉止する水入替モードを行う（ステップＳ１０１）。
【００３７】
ステップＳ１０１の水入替モードが終了したら、制御部７５は、給水タンク９内の水を給水管２１を介して貯水室１２内へ供給し、水位センサ２０でＯＮ信号が検知されたら所定量の水が貯水室１２内に供給されたとして給水ポンプ２２の駆動を停止した後、送風ファン１７を所定時間だけ駆動させ回転体１３に付着した大粒の水滴を落とす立ち上げモードを行う（ステップＳ１０２）。
【００３８】
ステップＳ１０２の立ち上げモードが終了したら、制御部７５は、ルーバーモータ５８を駆動させてルーバー３を器具本体１の上面に対して垂直となる位置で停止させ、加湿スイッチ６４及び風量スイッチ６５で設定された加湿レベルと風量レベルに基づいて、ミストモータ１４と送風ファン１７とが所定の回転数で駆動するようミストモータ制御手段７６と送風ファン制御手段７７とでそれぞれの回転数を制御し、貯水温度センサ１９の検知値に基づいて加熱ヒータ１８のＯＮ／ＯＦＦ状態を加熱ヒータ制御手段７８で切り替えて制御することで、貯水室１２内の貯水温度を加湿レベルと風量レベルとに合わせた所定の温度範囲内にするミスト運転を実行する通常運転モードを行う（ステップＳ１０３）。
【００３９】
ここで通常運転モードを詳述すると、ミストモータ制御手段７６によりミストモータ１４を８００〜１４００ｒｐｍの範囲内で回転数を変化させ、また、送風ファン制御手段７７で送風ファン１７を４００〜８００ｒｐｍの範囲内で回転数を変化させることで、風量レベルに合った回転数にしたミスト運転を行い、更に、送風温度センサ２７で検知される温度が加湿レベルに合った値となるよう貯水室１２内の貯水温度を変化させ、貯水温度センサ１９で検知される温度が約３０〜４０℃の範囲内で推移するように加熱ヒータ１８のＯＮ／ＯＦＦ状態を加熱ヒータ制御手段７８で切り替えて制御する。
【００４０】
ステップＳ１０３の通常運転モードを開始した後に通常運転モードの途中で運転スイッチ５９がＯＦＦ操作されたか、あるいはタイマー入／切スイッチ６１で設定されたミスト運転の停止時刻になったら、制御部７５は、ルーバーモータ５８を駆動させてルーバー３を器具本体１の上面に対して約２０°だけ開放した状態で静止させ、加熱ヒータ１８をＯＮ状態にして水を加熱し、貯水温度センサ１９での検知値が６３℃から６５℃の間で推移するよう加熱ヒータ１８のＯＮ／ＯＦＦ状態を切り替えて貯水室１２内にある水の除菌を行う除菌運転を所定時間である１０分間実行し、１０分経過後に貯水室１２内を冷却する冷却運転を実行した後に排水弁２６を開放して貯水室１２内の水を排水するクリーニングモードを行う（ステップＳ１０４）。
【００４１】
ステップＳ１０４のクリーニングモードが終了したら、制御部７５は、ミストモータ制御手段７６及び送風ファン制御手段７７によりミストモータ１４と送風ファン１７とを所定の回転数で所定時間だけ駆動させ、貯水室１２内を乾燥させる乾燥モードを実施し（ステップＳ１０５）、所定時間経過したらミストモータ１４と送風ファン１７とを停止させて乾燥モードが終了し、ルーバーモータ５８を駆動させてルーバー３を閉止することで運転終了となる。
【００４２】
次に、排水タンク７内の水位変化に伴う水位検知手段３３の動作について詳述する。
まず、排水タンク７内の水位が低くフロート３７より下部に水面の上端がある場合、図９で示すようにフロート３７自体の重みによりフロートアーム３４の嵌め込み部３８側が鉛直下方向へ下降した状態で静止することから、フロートアーム３４の第２小孔４３を貫通する磁石アーム３５の下部突起４５が連結アーム３６の下部縦長穴５０の上端に当接し、フロートアーム３４により磁石アーム３５が最上部へ押し上げられた状態で静止するため、磁石４７と近接センサ５７との間の距離が狭まり、磁石４７の磁力を近接センサ５７が検知してＯＮ信号を出力する。
【００４３】
そして、ミスト運転終了後のクリーニングモード時に排水弁２６が開放され排水流入口２５から排水が流入すると、フロート３７が浮力によって上昇し第２小孔４３側が下降する方向へフロートアーム３４が回動することでフロートアーム３４の第２小孔４３側が下降して、磁石アーム３５の下部突起４５により磁石アーム３５が鉛直下方向へ動作する。
【００４４】
更に、排水タンク７内に排水が流入し続けると、図１０で示すように磁石アーム３５が連結アーム３６の下部縦長穴５０の中間位置より下方まで下降し、近接センサ５７での磁力検知が可能な範囲を超えた時点でＯＦＦ信号を出力するため、制御部７５は、排水弁２６の閉止指示を出力して弁を閉止することで排水タンク７内への排水の流入を停止させ、排水タンク７から水が漏れ出す事態を防止する。
【００４５】
以上のように、フロートアーム３４、磁石アーム３５及び連結アーム３６で構成された水位検知手段３３を排水タンク７内に設置したことで、ミスト運転終了後のクリーニングモード時に排水弁２６が開放され排水流入口２５から排水が流入すると、水位の上昇に応じて磁石アーム３５が鉛直下方向へ動作し、排水タンク７の水位上昇に応じて確実に磁石４７が近接センサ５７から離れ、近接センサ５７での磁力検知が可能な範囲を超えたらＯＦＦ信号を出力して排水弁２６を閉止することから、水位変化に応じた水位検知手段３３の動作中に磁石アーム３５が鉛直上下方向の動作のみで近接センサ５７のＯＮ／ＯＦＦ信号の切り替えを可能とし、排水タンク７内の満水有無を検知可能としたことで、水平方向のストローク距離を気にすることなく排水タンク７内に水位検知手段３３を設置可能としたため、排水タンク７内における水位検知手段３３の設置位置の選択範囲を広げることができ、開口５４のような水平方向の断面積が小さな空間でも水位検知手段３３を設置可能とした。
【００４６】
また、各アーム同士が接触しながら摺動する面にリブ状の円弧摺動部４１、円摺動部４４、縦長摺動部５１及び円柱摺動部５６を設けたことで、排水弁２６が開放され排水タンク７内に排水が流入した時に水位検知手段３３の摺動部に排水が付着しても、各摺動部と各アームの接触面積が面接触と比較して小さくなることから排水の滞留を防止できるため、排水に含まれるカルキが析出してフロートアーム３４の回動や磁石アーム３５の鉛直上下方向への動作に影響を与えることがなく、水位検知手段３３による水位検知に支障を来す虞がない。
【００４７】
なお、本実施形態ではフロートアーム３４、磁石アーム３５及び連結アーム３６で構成された水位検知手段３３によって排水タンク７内の水位を検知しているが、これに限らず、排水タンク７の水位上昇に応じて磁石４７と近接センサ５７との間が確実に離れる構成であればよいものであり、磁石４７と近接センサ５７の設置場所に応じた動作を水位検知手段３３がするものである。
【００４８】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。 
【符号の説明】
【００４９】
１    器具本体
７    排水タンク
１２    貯水室
１３    回転体（加湿空気発生手段）
１４    ミストモータ（加湿空気発生手段）
１５    多孔体（加湿空気発生手段）
１６    多孔部（加湿空気発生手段）
１７    送風ファン
２４    排水管
２６    排水弁
３３    水位検知手段
３４    フロートアーム
３５    磁石アーム
３６    連結アーム
３７    フロート
４０    第１小孔
４１    円弧摺動部
４３    第２小孔
４４    円摺動部
４５    下部突起
４７    磁石
４９    爪突起
５１    縦長摺動部
５４    開口
５６    円柱摺動部
５７    近接センサ
７５    制御部
【図１】
0006434382.tif 000002
【図２】
0006434382.tif 000003
【図３】
0006434382.tif 000004
【図４】
0006434382.tif 000005
【図５】
0006434382.tif 000006
【図６】
0006434382.tif 000007
【図７】
0006434382.tif 000008
【図８】
0006434382.tif 000009
【図９】
0006434382.tif 000010
【図１０】
0006434382.tif 000011
【図１１】
0006434382.tif 000012